(57)【特許請求の範囲】
【請求項１】
溶解液入り容器と、該容器の上端の口部シール部より同心状に起立する取り外し可能のガイドカプセルと、該カプセル内で軸方向にスライド移動できる両頭針とを備え、必要時に薬剤容器をガイドカプセルの上端開口よりその内部に押し込むことにより両頭針を介し上記の２つの容器を内部連通状態に連結できる両頭針付き溶解液容器において、上記カプセルの上端開口をシール部材により密封し、前記シール部材は、封膜部と該封膜部の外周縁より起立する周壁部とから構成され、前記周壁部は前記カプセルの上端部に嵌着され前記周壁部の上端の鍔部が前記カプセルの上端面に係止しており、前記シール部材の封膜部に切離開封手段を備え、該開封手段による切離開封後に前記カプセル側に残る封膜部の縁部を前記両頭針のストッパーとして機能させる構成としたことを特徴とする両頭針付き溶解液容器。
【請求項２】
切離開封手段が、プルリングと該プルリングの切離開封を案内する切離部とから構成され、該切離部は封膜部の外周部寄りの部分にガイドカプセルの内周面近傍に位置するように設けられていることを特徴とする請求項１記載の溶解液容器。
【請求項３】
ガイドカプセル内の底部に、両頭針による上記の２つの容器の連結時に薬剤容器を連結位置に固定するための拘束手段が備えられていることを特徴とする請求項１又は２記載の溶解液容器。
【請求項４】
上記拘束手段が、ガイドカプセル内の底部から上向きに起立していて、連結された薬剤容器の口部シール部の背部の凹段部に係止する複数本の係止片部から構成されていることを特徴とする請求項３記載の溶解液容器。
【請求項５】
前記封膜部の中央部に、両頭針の収納スペースとなる膨出部が上向きに形成されていることを特徴とする請求項１から４のいずれかに記載の溶解液容器。
【請求項６】
前記膨出部が前記プルリングのリング内に膨出していることを特徴とする請求項５記載の溶解液容器。
【請求項７】
前記プルリングが、前記カプセル高さ内に収納されていることを特徴とする請求項５又は６記載の溶解液容器。
【発明の詳細な説明】
【０００１】
【発明の属する技術分野】
本発明は、スモールバイアル瓶等のような薬剤容器内に封入された主として抗生剤などの薬剤を点滴静注するときの薬剤混合手段を具備する両頭針付き溶解液容器に関する。
【０００２】
【従来の技術】
両頭針付き溶解液容器は従来から様々な種類のものが検討されており、例えば特開平５ー３１７３８３号提案のものは、比較的部品数が少なく製造コストを抑えられるという点で注目されている。
【０００３】
【発明が解決しようとする課題】
しかしながら上記の従来構成のものは、ガイドカプセルの解放端のシール手段としてピールオフタイプのシール部材により密封しているので、密封部分にピンホールやシール不良を生じやすく、密封の信頼性に欠けると共に、シール部材をピールオフした後は両頭針が解放端側へ自由に移動出来る態勢となるので、溶解操作の開始時に両頭針がガイドカプセルより外れ落ちる恐れがあった。また、両頭針のハブに薬剤容器側の針の戻りを防止するキックバック手段が設けられているが、溶解液容器側の針の戻り防止については、特に配慮されておらず、溶解液容器側でキックバックによる液漏れが生ずる恐れがあった。
【０００４】
本発明は上記従来の問題点を一掃することを目的としてなされたものである。
【０００５】
【課題を解決するための手段】
本発明は、溶解液入り容器と、該容器の上端の口部シール部より同心状に起立する取り外し可能のガイドカプセルと、該カプセル内で軸方向にスライド移動できる両頭針とを備え、必要時に薬剤容器をガイドカプセルの上端開口よりその内部に押し込むことにより両頭針を介し上記の２つの容器を内部連通状態に連結できる両頭針付き溶解液容器において、上記カプセルの上端開口をシール部材により密封し、前記シール部材は、封膜部と該封膜部の外周縁より起立する周壁部とから構成され、前記周壁部は前記カプセルの上端部に嵌着され前記周壁部の上端の鍔部が前記カプセルの上端面に係止しており、前記シール部材の封膜部に切離開封手段を備え、該開封手段による切離開封後にカプセル側に残る封膜部の縁部を両頭針のストッパーとして機能させる構成としたことを特徴とする両頭針付き溶解液容器に係る。
【０００６】
前記切離開封手段が、プルリングと該プルリングの切離開封を案内する切離部とから構成され、該切離部は封膜部の外周部寄りの部分にガイドカプセルの内周面近傍に位置するように設けられていることが好ましい。また、ガイドカプセル内の底部に、両頭針による上記の２つの容器の連結時に薬剤容器を連結位置に固定するための拘束手段が備えられていてもよい。さらに、この拘束手段が、ガイドカプセル内の底部から上向きに起立していて、連結された薬剤容器の口部シール部の背部の凹段部に係止する複数本の係止片部から構成されていることが好ましい。また、前記封膜部の中央部に、両頭針の収納スペースとなる膨出部を上向きに形成することもでき、この膨出部はプルリングのリング内に膨出していることが好ましい。さらには、プルリングがカプセル高さ内に収納されていることが好ましい。
【０００７】
【発明の実施の形態】
以下に本発明の１実施形態を添付図面に基づき説明すると次の通りである。
【０００８】
図１に示す全体図から明らかなように、本発明による両頭針付き溶解液容器は、溶解液入り容器１、ガイドカプセル２、両頭針３及びシール部材４を構成要素として備えている。
【０００９】
上記容器１はポリエチレンなどのような可撓性プラスチック製であって、上端に口部シール部５を備え、該口部シール部５は、上記容器１の口端に溶着手段等の適用で固着されたプラスチック製中栓５ａと該中栓５ａの上端に嵌着固定されたキャップ状のゴム栓５ｂとから構成されている。
【００１０】
ガイドカプセル２は筒状で例えば硬質プラスチックから成形され、下端部の接続固定部６において、上記容器１の口部シール部５に、同心且つ上向き起立状態に接続固定されている。
【００１１】
上記接続固定部６は、下端から下向き且つ同心状に突出するソケット部７を備え、該ソケット部７において口部シール部５に凹凸係合部８ａ、８ｂの適用のもとに嵌着固定されている。凹凸係合部８ａ、８ｂの係合を解くことによりソケット部７ひいてはガイドカプセル２を口部シール部５から取り外すことができる。
【００１２】
上記ソケット部７は上端より内方へ突出する円環状の係止リング９を備え、該リング９の内周部において下方へ突出する係止突部９ａはゴム栓５ｂの保有弾性に抗し該ゴム栓５ｂの天面部に食い込み、この食い込みで接続部の気密が保持されるようになっている。
【００１３】
両頭針３は上記カプセル２内に上下方向に摺動可能に装入されている。両頭針３は図３、４に詳細に示すように、相連通する上下一対の針部１０ａ、１０ｂを備え、該針部１０ａ、１０ｂは針ホルダー１１の中心に該ホルダー１１を境として上下に分かれるように支持固定されている。
【００１４】
針ホルダー１１は中央部の小径円盤部１１ａと該円盤部１１ａの外周部から放射方向に張り出された複数本例えば９０°間隔配置の４本の腕部１１ｂとを備え、該腕部１１ｂのそれぞれの先端から上方へ起立するスライダー部１１ｃにおいて上記カプセル２内で摺動移動出来るようになっている。腕部１１ｂとスライダー部１１ｃとのコーナ部には補強リブ片１１ｄが一体に形成されている。
【００１５】
両頭針３を上記カプセル２内で回り止めするために該カプセル２の内周面にスライダー１１ｄとの係合下に該スライダー１１ｄを案内するガイド溝１２（図３参照）が形成されている。
【００１６】
また、両頭針３が図１に示す非作動位置から不用意に下方へ移動することがないように、上記カプセル２の内周面には、腕部１１ｂの下面に係止するストッパー１３が形成されている。ストッパー１３はリング状に連続していてもよいし或いは腕部１１ｂに充当する位置毎に独立して形成されていてもよい。
【００１７】
両頭針３の針ホルダー１１中央部の小径円盤部１１ａは直径が接続対象の薬剤容器Ａの口部シール部ａの直径より小さく、これにより両頭針３の各腕部１１ｂ、１０ｂ間には、それぞれ開口１４（図３参照）が形成されている。
【００１８】
ガイドカプセル２の下底例えば係合リング９から起立するようにプラスチック製の係止片部１５が複数本例えば４本が該カプセル２と同心の円の軌跡ｂ（図３参照）上に位置するように設けられている。係止片部１５は両頭針３の針ホルダー１１の開口１４の直下に位置し、両頭針３が図５に示す作動位置まで摺動移動した時、上記開口１４を通りその上方へ突出し、薬剤容器Ａの口部シール部ａの背部の凹段部ａ′（図５参照）に保有弾性に抗し係止し得るようになっている。係止片部１５はカプセル２の中心を挟んで向き合う位置に少なくとも２本あればよく、複数本が共同して薬剤容器Ａを連結位置に固定する拘束手段として機能する。
【００１９】
シール部材４はプラスチック例えばポリエチレン製であって、ガイドカプセル２の上端開口を密閉するために適用される。シール部材４は封膜部４ａと該封膜部４ａの外周縁より起立する周壁部４ｂとから構成され、周壁部４ｂにおいて上記カプセル２の上端部に嵌着され、この嵌着状態において周壁部４ｂ上端の鍔部４ｃが上記カプセル２の上端面に係止している。嵌着部の気密を保持するために該嵌着部内に凹凸嵌合部１６が例えば上下２段に形成されている。封膜部４ａの中央部は両頭針３の収納スペースをカプセル２の高さを抑えた状態で確保するために上向きに膨出している。
【００２０】
シール部材４の封膜部４ａには切離開封手段としてプルリング１７が備えられている。プルリング１７の切離開封をガイドする切離部１８は封膜部４ａの下面の外周寄りの位置にカプセル２の内周面との間に小間隔１９（図５参照）を存して設けられており、切離開封後に残る縁部４ａ′（図５参照）を両頭針３の上方側への移動を防止するストッパーとして利用できるような構成になっている。
【００２１】
図１に示すように、本発明溶解液容器は、輸送、保管時など通常状態にあるときは、ガイドカプセル２内の両頭針３はストッパー１３の働きにより下方への移動が、またスライダー１１ｃ上端の封膜部縁部４ａ′への当止で上方への移動がそれぞれ防止されており、よって両頭針３は図１に示す非作動位置を安定確実に保持することができる。
【００２２】
また、ガイドカプセル２の上端開口は該開口内に嵌着固定されたシール部材４により密封されているので、密封状態を安定確実に保持できる。
【００２３】
一方、薬剤容器Ａと連結するときは図１に示す状態から、最初にプルリング１７の引っ張り操作によりシール部材４の封膜部４ａが切離部１８に沿って切離され開封される。
【００２４】
封膜部４ａの切離開封後においては、図５に示すように封膜部４ａの縁部４ａ′が上記カプセル２側に残るので、この縁部４ａ′が両頭針３の上方への移動を防止するストッパーとして機能し、この縁部４ａ′のストッパーとしての働きで両頭針３が該カプセル２の上端開口より抜け落ちるという危険性がなくなる。
【００２５】
封膜部４ａを切離開封した後は、薬剤容器Ａが常法通りガイドカプセル２の上端開口を通じて該カプセル２内に強制的に押し込まれ、この押し込みにより両頭針３は図１に示す非作動位置より図５に示す作動位置まで移動し、よって両容器Ａ、１内は両頭針３を介し相連通される。
【００２６】
更に、薬剤容器Ａを図５に示す連結位置まで押し込んで行くと、押し込み操作の終期段階で該容器Ａの口部シール部ａが係止片部１５、１５‥の間を保有弾性に抗し押し広げながらこれらの間を下方へと進入して行き、図５に示す連結状態が得られると同時に係止片部１５の上端の係止突部１５ａが上記口部シール部ａの背部の凹段部ａ′に係止し、よって薬剤容器Ａはこの連結位置に於いてカプセル２ひいては容器１にしっかりと固定される。
【００２７】
従って、両容器Ａ、１の口部シール部ａ、５においては、これら口部ａ、５のゴム栓に刺入された針部１０ａ、１０ｂにキックバックを生ずることが無くなり、キックバックに起因する液漏れを防止することが出来る。
【００２８】
【発明の効果】
本発明によれば次の効果が得られる。
【００２９】
イ  部品数が溶解液入り容器、ガイドカプセル、両頭針及びシール部材の４部品と比較的少なく、製造コストが安価である。
【００３０】
ロ  プルリングによる切離開封方式であるので、密封部分にピンホールやシール不良が生じることが無くなり、密封の信頼性を向上できる。
【００３１】
ハ  切離開封後にガイドカプセル側に残る封膜部縁部のストッパとしての働きで、該カプセルからの両頭針の脱落を防止でき、薬剤容器との連結操作時の安全性を向上できる。
【００３２】
ニ  両頭針の上下針部が薬剤容器の口部シール部からはもとより溶解液容器の口部シール部からもキックバックすることがなくなり、キックバックに起因する液漏れの危険性を一掃出来る。
【図面の簡単な説明】
【図１】  本発明の１実施形態を示す全体の縦断面図である。
【図２】  同、平面図である。
【図３】  同、シール部材を省略して示す拡大平面図である。
【図４】  図３の４−４線に沿う断面図である。
【図５】  薬剤容器との連結状況を示す縦断面図である。
【符号の説明】
１…溶解液入り容器
２…ガイドカプセル
３…両頭針
４…シール部材
５…口部シール部
６…接続固定部
７…ソケット部
８ａ…凹係合部
８ｂ…凸係合部
９……係合リング
１０ａ…針部
１０ｂ…針部
１１…ホルダー部
１２…ガイド溝
１３…ストッパー
１４…開口
１５…係合片部
１６…凹凸嵌合部
１７…プルリング
１８…切離部
１９…小間隔
【図１】
0003702377.tif 000002
【図２】
0003702377.tif 000003
【図３】
0003702377.tif 000004
【図４】
0003702377.tif 000005
【図５】
0003702377.tif 000006